(57)【特許請求の範囲】
【請求項１】
灰皿本体と、灰皿本体を覆って抱込み、灰皿本体を引出し可能にした外ケースとからなる自動車用灰皿において、
前記灰皿本体の下面には、中空部と案内面を有するブラケットを設け、このブラケットの前記中空部には、中央にカップ保持孔を有すると共に、一端がブラケットに回転可能に軸支され、前記外ケースから前記灰皿本体を引出すことによる使用又は収納による不使用に関係なく、この中空部からほぼ水平に回動して出没するホルダー部材が設けられており、
また、前記ホルダー部材には、回転可能に軸支され、しかも自重で下方に回転してこのホルダー部材で受止められると共に、前記保持孔内のカップを保持する受部を設けて前記ブラケットの端面と前記案内面に接して案内されて収納方向に回転収納されるガイド体を設けたことを特徴としたホルダー付き自動車用灰皿。
【発明の詳細な説明】
【０００１】
【発明の属する技術分野】
本発明は自動車の前席に設けた引き出し式灰皿本体に、清涼飲料水等の缶やコップを保持する保持孔を有したホルダー部材を組込んだホルダー付き自動車用灰皿に関する。
【０００２】
【従来の技術】
自動車の前席のパネルに、外ケースに覆われてスライド可能にした引き出し式灰皿本体を設け、この灰皿本体に取付けられる軸によって反転可能になっていて、灰皿本体内への倒伏と灰皿外部への反転が可能であるガイドプレートと、ガイドプレートに軸支されていて缶等の容器を受止める姿勢に展開する環部の受止杆を設けたものや、容器（カップ）の外側面を支持する環部がカップホルダー本体に支持されると共に環部の底面を支持する受け金がホルダー本体に重なる位置と、容器支持孔の下方に配されて容器の底部を支持する位置との範囲で移動可能にホルダー本体に支持されてカップホルダーが構成され、このカップホルダー本体が、灰皿本体の側部に、灰皿本体内と灰皿本体外位置との範囲で回動可能に取着された構成のもの等、種々なものが存在する。
【０００３】
【発明が解決しようとする課題】
前記した従来から知られているホルダー付き自動車用灰皿は、ホルダーが灰皿本体内と外側との範囲を回動するようにして収納時には灰皿本体内とホルダーを収納してある。従って、カップホルダーを使用しないで灰皿本体だけ使用する場合でも、灰皿本体内からホルダーを外側に位置させるようにしなければ灰皿本体内は使用ができない。また、反対にホルダーだけを使用した場合でも灰皿本体は一応引き出さなければホルダーの使用ができない等不便があった。
【０００４】
【課題を解決するための手段】
本発明は斯様な実情に鑑み、この課題を解決するために創案したもので、即ち、本発明は、灰皿本体と、灰皿本体を覆って抱込み灰皿本体を引出し可能にした外ケースとからなる自動車用灰皿において、前記灰皿本体の下面には、中空部と案内面を有するブラケットを設け、このブラケットの前記中空部には、中央にカップ保持孔を有すると共に、一端がブラケットに回転可能に軸支され、前記外ケースから前記灰皿本体を引出すことによる使用又は収納による不使用に関係なく、この中空部からほぼ水平に回動して出没するホルダー部材が設けられており、また、ホルダー部材には、回転可能に軸支され、しかも自重で下方に回転してホルダー部材で受止められると共に、前記ブラケットの端面と案内面に接して案内されて収納方向に回転収納されるガイド体を設け、更に、ガイド体には異なる径のカップを安定して保持する受部を設けたことを特徴としたもので、ホルダー部材だけ回転して自由な位置での使用を可能とし、更に、カップの異なる径に対しても受部を段部に形成してあって安定に保持できるようにしたもので、しかも構成の簡単なホルダー付き自動車用灰皿を提供するものである。
【０００５】
【発明の実施の形態】
【０００６】
【実施例】
図は、本発明に係るホルダー付き自動車用灰皿の一実施例を示したもので、以下図に基いて具体的に説明する。
【０００７】
１は灰皿本体で、耐熱性合成樹脂で成形され、この本体１には、上縁に外方向に張出したフランジ１ａと、内部の正面側に消火板１ｂと、消火板１ｂを介して連設させた把手１ｃを設けてある。この灰皿本体１は、パネルに取付けた金属板からなる外ケース２で抱込むようにして覆われ、更に灰皿本体１は外ケース２に沿って引出し可能に構成されている。灰皿本体１の下面には、合成樹脂性のブラケット３が接着固定されている（また前記ブラケット３は本体１と一体に成形することも可能である）。
【０００８】
ブラケット３は、上板３ａと下板３ｂでコ状に一体に成形され、上板３ａの一端には軸受部４を設け、この軸受部４に、上板３ａ及び下板３ｂ間の中空部３ｃに嵌めるホルダー部材５の端部の軸孔５ａを通すねじ杆６でウエーブワッシャ７を介してねじ込み軸支し、ねじ杆６を中心にホルダー部材５をブラケット３の上板３ａと下板３ｂの間の空間３ｃをほぼ水平に回転可能に設けたてある。
【０００９】
また、ブラケット３には、前記ホルダー部材５と対応する収納位置側に板バネ８の取付片９を設け、取付片９に取付けた前記板バネ８によって、ホルダー部材５が収納位置まで収納された時、前記板バネ８によって押圧係止されるようにしてある。
【００１０】
前記ホルダー部材５は、中央部に保持孔５ｂを設けると共に、保持孔５ｂの内縁の一部に、下部に向けてカップの側部を受止める受片５ｃを設けてあって、保持孔５ｂに挿入したカップが倒れないように側部を受止めるようにしてある。
【００１１】
また、ホルダー部材５の下面には、下向きの一対の切欠孔５ｅを有する軸支片５ｄ，５ｄを設け、この軸支片５ｄ，５ｄの切欠孔５ｅは、ホルダー部材５の上面側から嵌められるように開口してある。
【００１２】
前記切欠孔５ｅには、ガイド体１０に設けた外方向の軸１０ａを回動可能に嵌めて軸支し、ガイド体１０は前記軸１０ａを中心にして自重によって下方に回転するようにしてある。
【００１３】
ガイド体１０は、断面コ状に成形し、この側片１０ｂ，１０ｂには、下縁に前記ブラケット３の下板ｂの案内面３ｄを円滑動作するように隆出させた曲線部１０ｃを設け、ガイド体１０を、前記ブラケット３の案内面３ｄに沿って案内されるようにして揺動動作を行うようにしてある。更にガイド体１０の端部には、前記軸１０ａを一体にして外方向に張出して設け、また端縁は前記自重によって下方に回転した時ホルダー部材５の下部で受止める受部１０ｄを設けてある。更に、ガイド体１０の前記軸１０ａの反対側、即ち先端側は弧状に成形すると共にカップの異なるサイズの場合でも受止め保持できる段部ａ，ｂを設け、この段部ａ，ｂによってホルダー孔内のカップを安定して受止められるようにしてある。
【００１４】
即ち、カップの大型の時は段部ａで、小型の時は段部ｂで受止められる構成となっている。
【００１５】
【発明の効果】
この発明は、上述のように外ケースに抱込まれた引き出し可能な灰皿本体に、ホルダー部材を回転可能に設けることで、灰皿本体の使用、不使用時に関係なく、カップホルダー部材を独立して使用できる。
【００１６】
また、ホルダー部材の水平方向の回転と、ガイド体の上下方向の回転を組合せた構成とすることでコンパクトにでき、更に、ガイド体にカップを受止め保持する段部を設けたことで、サイズの異なるカップを安定して保持することができる。
【００１７】
また、部品点数が少なく、構成が簡単で、組立が容易であり、安価である等の効果がある。
【図面の簡単な説明】
【図１】本発明に係るホルダー付き自動車用灰皿の一実施例を示した側面図である。
【図２】ブラケットからホルダー部材を張出させてカップをガイド体で保持した状態のガイド体を正面から見た一部の断面図である。
【図３】灰皿本体を取除いた平面図である。
【図４】ブラケット、ホルダー部材、ガイド体の分解斜視図である。
【符号の説明】
１          灰皿本体
１ａ        フランジ
１ｂ        消火板
１ｃ        把手
２          外ケース
３          ブラケット
３ａ        上板
３ｂ        下板
３ｃ        空間部
３ｄ        案内面
４          軸受部
５          ホルダー部材
５ａ        軸孔
５ｂ        保持孔
５ｃ        受片
５ｄ        軸支片
５ｅ        切欠孔
６          ねじ杆
７          ウエーブワッシャ
８          板バネ
９          取付片
１０        ガイド体
１０ａ      軸
１０ｂ      側片
１０ｃ      曲線部
１０ｄ      受部
ａ，ｂ      段部
【図１】
0003609494.tif 000002
【図２】
0003609494.tif 000003
【図３】
0003609494.tif 000004
【図４】
0003609494.tif 000005